(57)【要約】【課題】  テレビなどの撮影手段により目的の被撮影域を撮影したとき、この被撮影域に居た人が、この撮影の映像における顔の表示を予期していないなど、特定の人以外の人である場合には、上記顔の表示を自動的に防止して、そのプライバシーが保護されるようにする。【解決手段】  映像処理装置１は、特定の人の顔のデータを格納するデータベース２と、目的の被撮影域を撮影可能とする撮影手段３と、この撮影手段３により撮影された映像における人の顔のデータを検出可能とする顔検出手段５と、この顔検出手段５により検出された人の顔のデータのうち、データベース２に格納されていた顔のデータ以外の映像における顔を隠す隠し手段７とを備える。【選択図】  図１
2006155109.tif 000002
【特許請求の範囲】
【請求項１】
特定の人の顔のデータを格納するデータベースと、目的の被撮影域を撮影可能とする撮影手段と、この撮影手段により撮影された映像における人の顔のデータを検出可能とする顔検出手段と、この顔検出手段により検出された人の顔のデータのうち、上記データベースに格納されていた顔のデータ以外の上記映像における顔を隠す隠し手段とを備えた映像処理装置。
【請求項２】
上記撮影手段により撮影された映像から直接に人の顔を上記顔検出手段により検出させるようにした請求項１に記載の映像処理装置。
【請求項３】
上記隠し手段により人の顔が隠された映像を録画する録画手段を備えた請求項１、もしくは２に記載の映像処理装置。
【請求項４】
上記撮影手段により撮影された映像を録画する録画手段を備え、この録画手段により出力される映像から上記顔検出手段により人の顔のデータを検出するようにした請求項１に記載の映像処理装置。
【発明の詳細な説明】
【技術分野】
【０００１】
本発明は、目的の被撮影域を撮影する撮影手段を備え、この撮影手段により撮影された映像における人の顔のうち、特定の人以外の人の顔を隠すようにした映像処理装置に関するものである。
【背景技術】
【０００２】
上記映像処理装置には、従来、下記特許文献１に示されるものがある。この公報のものによれば、人の顔の撮影手段により、この顔を撮影し、次に、この顔の映像を視認しながら、部位領域入力手段により顔の映像に含まれる目などの部位を含む領域を検出する。次に、部位領域塗りつぶし手段により、検出した部位領域の内部を塗りつぶすこととされている。
【０００３】
【特許文献１】特開２００２−３５２２５８公報
【発明の開示】
【発明が解決しようとする課題】
【０００４】
ところで、例えば、撮影手段であるテレビを用いたテレビ会議では、この撮影手段により、人のうちの少なくとも当事者のみを撮影することで足りるが、それ以外の第三者を無意図的に撮影してしまう可能性がある。また、公共の施設などを、これに関連する当事者と共に撮影手段により撮影したときも、それ以外の第三者を無意図的に撮影してしまう可能性がある。
【０００５】
そして、上記のように撮影された映像が一般に表示された場合には、上記第三者のプライバシーが侵害されるおそれを生じる。そこで、上記従来の技術のように、顔の映像を塗りつぶす塗りつぶし手段を設けることが考えられる。
【０００６】
しかし、上記従来の技術では、顔の撮影手段により、顔の表示を予定している特定の人の顔が撮影されると、一旦、この顔の映像は視認のために表示され、その後、この顔の一部領域が任意に検出されて、塗りつぶされるというものである。
【０００７】
このため、上記従来の技術では、根本的に、上記顔の撮影手段により第三者が撮影されるおそれはなく、また、仮に、第三者が撮影された場合には、その映像は、一旦、表示されるものであり、よって、上記従来の技術では、第三者のプライバシーを保護することは困難である。
【課題を解決するための手段】
【０００８】
本発明は、上記のような事情に注目してなされたもので、本発明の目的は、テレビなどの撮影手段により目的の被撮影域を撮影したとき、この被撮影域に居た人が、この撮影の映像における顔の表示を予期していないなど、特定の人以外の人である場合には、上記顔の表示を自動的に防止して、そのプライバシーが保護されるようにすることである。
【０００９】
請求項１の発明は、特定の人の顔のデータを格納するデータベース２と、目的の被撮影域を撮影可能とする撮影手段３と、この撮影手段３により撮影された映像における人の顔のデータを検出可能とする顔検出手段５と、この顔検出手段５により検出された人の顔のデータのうち、上記データベース２に格納されていた顔のデータ以外の上記映像における顔を隠す隠し手段７とを備えたものである。
【００１０】
請求項２の発明は、請求項１の発明に加えて、上記撮影手段３により撮影された映像から直接に人の顔を上記顔検出手段５により検出させるようにしたものである。
【００１１】
請求項３の発明は、請求項１、もしくは２の発明に加えて、上記隠し手段７により人の顔が隠された映像を録画する録画手段８を備えたものである。
【００１２】
請求項４の発明は、請求項１の発明に加えて、上記撮影手段３により撮影された映像を録画する録画手段８´を備え、この録画手段８´により出力される映像から上記顔検出手段５により人の顔のデータを検出するようにしたものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、特定の人の顔のデータを格納するデータベースと、目的の被撮影域を撮影可能とする撮影手段と、この撮影手段により撮影された映像における人の顔のデータを検出可能とする顔検出手段と、この顔検出手段により検出された人の顔のデータのうち、上記データベースに格納されていた顔のデータ以外の上記映像における顔を隠す隠し手段とを備えている。
【００１６】
このため、テレビなどの撮影手段により目的の被撮影域を撮影したとき、この撮影された映像における人の顔のデータがデータベースに格納されておらず、つまり、この撮影された人が上記特定の人以外の人である場合には、上記隠し手段により、その顔が隠されることとなる。よって、上記撮影された映像が一般に表示されたとしても、上記特定の人以外の人は、その顔の表示が防止されて、プライバシーが保護される。
【００１７】
請求項２の発明は、上記撮影手段により撮影された映像から直接に人の顔を上記顔検出手段により検出させるようにしている。
【００１８】
このため、上記特定の人以外の人の顔は、上記撮影手段により撮影された映像において隠される。つまり、上記撮影手段より撮影された状態のままの映像がその後に表示されることは、より確実に防止され、よって、上記プライバシーは、より確実に保護される。
【００１９】
請求項３の発明は、上記隠し手段により人の顔が隠された映像を録画する録画手段を備えている。
【００２０】
このため、上記撮影手段により撮影された映像は上記録画手段により録画され、再生可能であって、上記映像の利用の自由度が向上する。そして、この場合、上記映像では特定の人以外の人の顔は隠し手段により隠されているため、上記映像を利用しても、上記プライバシーは保護される。
【００２１】
請求項４の発明は、上記撮影手段により撮影された映像を録画する録画手段を備え、この録画手段により出力される映像から上記顔検出手段により人の顔のデータを検出するようにしている。
【００２２】
このため、仮に、隠し手段により顔を隠した映像に瑕疵がある場合には、上記録画手段で録画した映像を再出力し、この映像につき、上記隠し手段などにより再び顔を隠すよう修正すればよく、よって、上記プライバシーはより確実に保護される。
【発明を実施するための最良の形態】
【００２３】
本発明の映像処理装置に関し、テレビなどの撮影手段により目的の被撮影域を撮影したとき、この撮影域に居た人が、この撮影の映像における顔の表示を予期していないなど、特定の人以外の人である場合には、上記顔の表示を自動的に防止して、そのプライバシーが保護されるようにする、という目的を実現するため、本発明を実施するための最良の形態は、次の如くである。
【００２４】
即ち、映像処理装置は、特定の人の顔のデータを格納するデータベースと、目的の被撮影域を撮影可能とする撮影手段と、この撮影手段により撮影された映像における人の顔のデータを検出可能とする顔検出手段と、この顔検出手段により検出された人の顔のデータのうち、上記データベースに格納されていた顔のデータ以外の上記映像における顔を隠す隠し手段とを備えている。
【実施例１】
【００２５】
本発明をより詳細に説明するために、その実施例１を添付の図１に従って説明する。
【００２６】
図１において、符号１は電子的な映像処理装置１である。
【００２７】
上記映像処理装置１は、特定の単数もしくは複数の人の顔のデータを予め格納（登録）するデータベース２を備えている。上記顔のデータは、種々の角度、種々の表情における顔の輪郭、目、鼻、および口などの寸法的なデータ、色彩、色合いのデータなどである。
【００２８】
また、上記映像処理装置１は、会議室や景色など目的の被撮影域を撮影可能とする撮影手段３と、この撮影手段３により撮影された映像を撮影制御手段４を通し入力し、この映像に人の顔があるか否かを検出すると共に、ある場合には、その顔の部分のみを抽出して、その顔のデータを検出可能とする顔検出手段５と、オペレータによる任意の操作を入力する一方、この操作の信号を上記撮影制御手段４に入力させて、上記したように撮影手段３に撮影をさせたり、この撮影を停止させたりするための撮影トリガー手段６とを備えている。上記撮影手段３はテレビカメラなどである。また、上記撮影トリガー手段６はスイッチなどである。
【００２９】
上記の場合、撮影手段３により撮影された映像から、上記したように顔検出手段５により直接に人の顔のデータが検出されるようになっている。
【００３０】
また、上記映像処理装置１は、上記顔検出手段５により検出された人の顔のデータのうち、上記データベース２に格納されていた顔のデータ以外の上記映像における顔を隠す隠し手段７を備えている。この隠し手段７により顔を隠すための具体的な手段としては、人の顔の塗りつぶしによる隠しや、モザイクによる隠しなどがある。
【００３１】
また、上記映像処理装置１は、上記隠し手段７により人の顔が隠された後の映像を録画する録画手段８と、この録画手段８に録画された映像を再生制御手段９を通し再生して表示させる表示手段１０と、オペレータによる任意の操作を入力する一方、この操作の信号を上記再生制御手段９に入力させて、上記したように表示手段１０により録画手段８からの再生映像を表示させる再生トリガー手段１１とを備えている。上記録画手段８の録画媒体はビデオテープやハードディスクレコーダなどであり、同時に録音も可能とされている。また、上記表示手段１０はテレビやコンピュータの表示装置などである。また、上記再生トリガー手段１１はスイッチなどである。
【００３２】
ここで、上記した特定の人とは、例えば、テレビ会議にあっては、会議の当事者のような人であり、上記撮影手段３により撮影された顔が、その後、上記表示手段１０により表示されることを予期している人である。また、仮に、上記した当事者であっても、上記表示を拒む人は、特定の人以外の人である。
【００３３】
上記映像処理装置１を、例えばテレビ会議に用いる場合につき説明する。
【００３４】
テレビ会議をする場合は、各当事者がそれぞれ個別の撮影手段３により撮影されて、その撮影された各映像が一方の当事者と他方の当事者との間で、相互に送られる。そして、この映像は、そのままの状態で上記会議の進行と同時に上記表示手段１０により表示され、この表示を各当事者が見ながら会議が進められる。
【００３５】
上記の場合、撮影手段３により撮影された映像は、その状態のままで上記撮影制御手段４、顔検出手段５、および隠し手段７を通し録画手段８により録画される。その後に、この録画手段８に録画された映像を見たいときには、上記再生トリガー手段１１を操作する。すると、上記再生制御手段９を通して表示手段１０により上記映像が再生され、表示される。
【００３６】
一方、上記テレビ会議において、上記撮影手段３により撮影されて表示されることを予期していない人や、表示を拒む人にとって、表示によりプライバシーが侵害されるおそれがある場合には、会議の開始以前に、上記予期をしている人のような特定の人の顔のデータをあらかじめ上記データベース２に格納させておく。
【００３７】
上記会議に際し、上記撮影トリガー手段６を操作すれば、上記撮影手段３による撮影が開始されると共に、撮影制御手段４を通して顔検出手段５と隠し手段７とが自動的に作動する。すると、上記撮影手段３で撮影された映像における人の顔の部分が上記顔検出手段５により抽出され、その顔のデータが検出される。次に、この顔検出手段５により検出された人の顔のデータのうち、上記データベース２に格納されていたデータ以外の上記映像における人の顔、つまり、特定の人以外の人の顔が上記隠し手段７により隠される。
【００３８】
そして、上記のように隠し手段７により顔が隠された映像は、その状態のままで上記録画手段８により録画される。また、上記隠し手段７により顔が隠された映像は、上記再生トリガー手段１１への操作により録画手段８から出力され、上記会議の進行と同時に上記表示手段１０により表示され、この表示を各当事者が見ながら会議が進められる。この会議の後に、この録画手段８に録画された映像を見たいときには、前記と同様に、再生トリガー手段１１を操作すればよい。
【００３９】
上記構成によれば、特定の人の顔のデータを格納するデータベース２と、目的の被撮影域人を撮影可能とする撮影手段３と、この撮影手段３により撮影された映像における人の顔のデータを検出可能とする顔検出手段５と、この顔検出手段５により検出された人の顔のデータのうち、上記データベース２に格納されていた顔のデータ以外の上記映像における顔を隠す隠し手段７とを備えている。
【００４０】
このため、テレビなどの撮影手段３により目的の被撮影域を撮影したとき、この撮影された映像における人の顔のデータがデータベース２に格納されておらず、つまり、この撮影された人が上記特定の人以外の人である場合には、上記隠し手段７により、その顔が隠されることとなる。よって、上記撮影された映像が一般に表示されたとしても、上記特定の人以外の人は、その顔の表示が防止されて、プライバシーが保護される。
【００４１】
また、前記したように、撮影手段３により撮影された映像から直接に人の顔を上記顔検出手段５により検出させるようにしている。
【００４２】
このため、上記特定の人以外の人の顔は、上記撮影手段３により撮影された映像において隠される。つまり、上記撮影手段３より撮影された状態のままの映像がその後に表示されることは、より確実に防止され、よって、上記プライバシーは、より確実に保護される。
【００４３】
また、前記したように、隠し手段７により人の顔が隠された映像を録画する録画手段８を備えている。
【００４４】
このため、上記撮影手段３により撮影された映像は上記録画手段８により録画され、再生可能であって、上記映像の利用の自由度が向上する。そして、この場合、上記映像では特定の人以外の人の顔は隠し手段７により隠されているため、上記映像を利用しても、上記プライバシーは保護される。
【００４５】
なお、以上は図示の例によるが、録画手段８、再生制御手段９、および表示手段１０をなくして、上記隠し手段７に表示手段１０を直接に接続させてもよい。
【００４６】
以下の図２は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、この実施例における各部分の構成を、本発明の目的、作用効果に照らして種々組み合せてもよい。
【実施例２】
【００４７】
本発明をより詳細に説明するために、その実施例２を添付の図２に従って説明する。
【００４８】
図２において、上記映像処理装置１は、上記撮影手段３により撮影された映像を上記撮影制御手段４を通して直接に録画する録画手段８´を備えている。そして、この録画手段８´から出力される映像から、上記顔検出手段５により人の顔の部分のみが抽出されて、その顔のデータが検出される。
【００４９】
上記構成によれば、仮に、隠し手段７により顔を隠した映像に瑕疵がある場合には、上記録画手段８´で録画した映像を再出力し、この映像につき、上記隠し手段７などにより顔を隠すよう改めて修正すればよく、よって、上記プライバシーはより確実に保護される。
【図面の簡単な説明】
【００５０】
【図１】実施例１を示し、映像処理装置のブロック線図である。
【図２】実施例２を示し、映像処理装置のブロック線図である。
【符号の説明】
【００５１】
１    映像処理装置
２    データベース
３    撮影手段
４    撮影制御手段
５    顔検出手段
６    撮影トリガー手段
７    隠し手段
８    録画手段
８´  録画手段
９    再生制御手段
１０  表示手段
１１  再生トリガー手段
【図１】
2006155109.tif 000003
【図２】
2006155109.tif 000004